(57)【要約】【課題】  あくまで紐によりクッション本体を椅子の座部に装着、固定することを前提とし、取り扱いが容易な紐の利点を損なわずに装着安定性を高める、椅子用クッションを提供する。【解決手段】  椅子４の座部５にクッション本体14を装着、固定する椅子用クッション１であって、クッション本体14は平面視略四角形で、各辺に紐18付きのフラップ16を取り付けてなり、各フラップ16は平面視略三角形で、各フラップ16の底辺をクッション本体14の各辺に取り付けて頂上部17を張り出し、各紐18は前記フラップ16の頂上部17に取り付けてなる椅子用クッション１である。【選択図】  図５
2005118467.tif 000002
【特許請求の範囲】
【請求項１】
椅子の座部にクッション本体を装着、固定する椅子用クッションであって、クッション本体は平面視略四角形で、各辺に紐付きのフラップを取り付けてなり、各フラップは平面視略三角形で、各フラップの底辺をクッション本体の各辺に取り付けて頂上部を張り出し、各紐は前記フラップの頂上部に取り付けてなる椅子用クッション。
【請求項２】
フラップは、クッション本体の各辺毎に複数設けてなる請求項１記載の椅子用クッション。
【請求項３】
フラップは、底辺近傍が相互に重なりあい、全体として頂上部を複数有する一体の鋸歯状片からなり、各頂上部それぞれに紐を取り付けてなる請求項１記載の椅子用クッション。
【発明の詳細な説明】
【技術分野】
【０００１】
本発明は、座部から背もたれを立設した椅子に装着、固定する椅子用クッションに関する。
【背景技術】
【０００２】
座部から背もたれを立設した椅子は、通常座部の裏面又は座部を支持する支持脚から背もたれ用支持腕を立ち上げ、この背もたれ用支持腕に背もたれを取り付けている。また、座部の裏面又は座部を支持する支持脚から左右一対の肘掛け用支持腕を立ち上げ、この肘掛け用支持腕それぞれに肘掛けを取り付けた椅子も見られる。こうした椅子は、座部の表面が一定の弾性を備えるように、座部の内部にクッション本体材を備えるが、より柔らかな感触を求めたり、保温性を高める目的で、別途椅子用クッションを装着、固定して使用される例が多い。この場合、背もたれ用支持腕又は肘掛け用支持腕が椅子用クッションの装着を阻害し、椅子用クッションをずれなく固定することを難しくしている(以下、装着安定性がない、と表現する)。
【０００３】
椅子用クッションの装着安定性を高める手段として、まず椅子の座部に対してクッション本体を装着、固定する手段、例えば紐の数を増やす手段が考えられる。例えば、車椅子に対しての技術であるが、特許文献１は、前後の角部にそれぞれ２本宛に紐を設けた椅子用クッション(特許文献１の車椅子上で座位を保つための座ぶとん)を開示している。また、特許文献２も、前記特許文献１同様の構成で、座部及び背凭れ部を有するクッション本体(特許文献２の座布団本体)の前記座部前縁及び背凭れ部上縁にそれぞれ左右一対の紐を設けた椅子用クッション(特許文献２の椅子用座布団)を開示している。
【０００４】
このほか、椅子用クッションの装着安定性を高める手段には、多方向からクッション本体を椅子の座部に締め付ける手段が考えられる。例えば、特許文献３は、クッション本体(特許文献３の椅子用座ぶとん)の角部を挟んだ２辺に紐を架け渡して２個の輪を作り、残る１辺に設けた固定調整紐で前記輪を結んで縛る椅子用クッション(特許文献３の椅子用座ぶとんの固定具)を開示している。また、特許文献４は、クッション本体(特許文献４の座布団)の周囲から取付垂れ幕部を降ろし、この取付垂れ幕部で椅子の座部を包み込むようにして装着する椅子用クッション(特許文献４の椅子用座布団)を開示している。
【０００５】
【特許文献１】特開2001-057925号公報(２頁、図１〜図３)
【特許文献２】登録実用新案第3096002号公報(３頁〜５頁、図１〜図２)
【特許文献３】登録実用新案第3014451号公報(３頁〜４頁、図１〜図３)
【特許文献４】登録実用新案第3073615号公報(４頁〜８頁、図１〜図３)
【発明の開示】
【発明が解決しようとする課題】
【０００６】
椅子用クッションを椅子の座部に装着する手段としては、上記特許文献１〜３に見られるように、紐が最も簡素で、取り扱いも容易であり、好ましい。しかし、紐によりクッション本体が座部に押し付けられる部分は僅かであり、クッション本体全体をできるだけ均一に椅子の座部に装着、固定しようとすれば紐の数が増えてしまい、取り扱いが面倒になる。また、紐の場合、背もたれ付き椅子又は肘掛け付き椅子に対して、背もたれ用支持腕や肘掛け用支持腕が邪魔にならない位置で、クッション本体に紐を取り付けなければならず、クッション本体に対する紐の均等配置が難しくなる問題もある。そこで、あくまで紐によりクッション本体を椅子の座部に装着、固定することを前提とし、取り扱いが容易な紐の利点を損なわずに、椅子用クッションの装着安定性を高める構成を検討することにした。
【課題を解決するための手段】
【０００７】
検討の結果作り出したものが、椅子の座部にクッション本体を装着、固定する椅子用クッションであって、クッション本体は平面視略四角形で、各辺に紐付きのフラップを取り付けてなり、各フラップは平面視略三角形で、各フラップの底辺をクッション本体の各辺に取り付けて頂上部を張り出し、各紐は前記フラップの頂上部に取り付けてなる椅子用クッションである。紐は、長さの長短又は幅の大小を問わず、対向関係にある紐同士(例えばクッション本体の前後辺に割り当てた紐同士)、又は隣り合う紐同士(例えばクッション本体の前辺及び左辺に割り当てた紐同士)を結べればよい。紐同士を結ぶ代わりに、紐に面ファスナーを設けて前記面ファスナーによる係合で連結したり、一方の紐にＤ環又はナス環を取り付けて他方の紐に取り付けたフックを係合して連結したり、一方の紐にバックルを取り付けて他方の紐を絞り上げて連結してもよい。この場合、一方又は双方の紐に、長さの調節手段を設けるとよい。クッション本体が、クッション構造材にカバーを被せた構成であれば、フラップ及び紐は前記カバーに取り付けることになる。「平面視略四角形」とは、前後左右に主要な４辺を有する多角形を意味し、前記主要な辺だけで構成される場合は長方形又は正方形となり、角部を切り欠いた場合は五角形〜八角形の外形でありながら、前後左右に主要な４辺が割り当てられればよい。
【０００８】
本発明の椅子用クッションは、紐で直接クッション本体を引っ張って椅子の座部に締め付けるのではなく、頂上部から徐変に拡がる裾を有する平面視略三角形のフラップを介して、クッション本体の各辺を広く引っ張ることができる。「平面視略三角形」とは、３辺で囲まれた形状を意味し、例えば底辺両端から延びる各斜辺は直線又は曲線であってもよい。また、クッション本体の各辺に取り付けたフラップが、椅子の座部の裏面に回り込み、クッション本体とフラップとにより、椅子の座部を挟み込むようになる。このように、本発明の椅子用クッションは、フラップによる広い範囲でのクッション本体の各辺の引っ張りと、クッション本体とフラップとによる椅子の座部の挟み込みとにより、クッション本体を椅子の座部に密着させ、装着安定性を高めることができる。
【０００９】
ここで、クッション本体の各辺宛に１本の紐だけを割り当てると、前記各辺を広く引っ張るには、頂上部が鈍角(＝90度より大きい角)で扁平な平面視略三角形のフラップを用いるか、頂上部が90度以下の巨大な平面視略三角形のフラップを用いることになる。前記扁平なフラップでは、各紐の引っ張りがうまく各フラップの底辺、すなわちクッション本体の各辺に広く伝わりにくいし、前記巨大なフラップでは、フラップが大きすぎ、紐同士をうまく結ぶことがきなくなる。そこで、各フラップを小さくする目的から、フラップは、クッション本体の各辺毎に複数設けるとよい。このようにフラップを複数設ける場合、椅子が有する背もたれ用支持腕や肘掛け用支持腕を回避した位置で、クッション本体の各辺にフラップを設けることができる。
【００１０】
クッション本体の各辺に複数のフラップを設ける場合、各辺宛のフラップ相互が完全に独立した構成であってもよいが、この場合、各フラップが座部の各辺の一部を個々に引っ張ることになり、クッション本体を歪める可能性がある。そこで、フラップは、底辺近傍が相互に重なりあい、全体として頂上部を複数有する一体の鋸歯状片からなり、各頂上部それぞれに紐を取り付けた構成にするとよい。フラップは、それぞれの頂上部に取り付けた紐により部分的に引っ張られるが、クッション本体の各辺に対しては重なりあった底辺がクッション本体の各辺を広く均等に引っ張ることができる。
【００１１】
上記鋸歯状辺からなるフラップは、クッション本体の各辺の中心線を挟んで線対称に頂上部を設けるとよい。より好ましくは、クッション本体の中心に対して各フラップの頂上部が点対称な関係にあるとよい。例えば２つの頂上部を有するフラップを４辺にそれぞれ取り付けた場合、クッション本体の各辺宛に２本ずつの紐が割り当てられ、対向関係ある紐同士(例えばクッション本体の前辺及び後辺に割り当てた紐同士)でも、隣り合う紐同士(例えばクッション本体の前辺及び左辺に割り当てた紐同士)でも、自由に選択して結ぶことができる。また、各フラップは、椅子が有する背もたれ用支持腕や肘掛け用支持腕を回避した位置で、クッション本体の各辺にフラップを設けることができる。
【発明の効果】
【００１２】
本発明の椅子用クッションは、従来単に紐を取り付けた椅子用クッションと比べても、装着に際する手間は変わらないものの、装着安定性を高めることのできる効果を有する。これは、平面視略四角形のクッション本体の４辺、すなわち前辺、後辺、左辺及び右辺のすべてにフラップを介して紐を取り付けた構造によるところが大きい。すなわち、従来取付位置を点で引っ張っていた紐のみの構造に対し、フラップを介してクッション本体の各辺を広く引っ張ることができるほか、クッション本体とフラップとで椅子の座部を包み込むように装着することで、装着安定性を高めることができる。このほか、本発明の椅子用クッションは、複数のフラップを用いることで、背もたれ用支持腕や肘掛け用支持腕を回避して、前記装着安定性の向上を図ることができる効果もある。
【発明を実施するための最良の形態】
【００１３】
以下、本発明の実施形態について図を参照しながら説明する。図１は本発明の椅子用クッション１の一例を表面側から見た部分断面斜視図、図２は同椅子用クッション１を裏面側から見た斜視図、図３は背もたれ２及び肘掛け３を有する椅子４に対する椅子用クッション１の装着関係を表した斜視図、図４は椅子用クッション１を装着した状態を表した椅子４の座部５を裏面側から見た底面図(支持脚６、肘掛け本体７及び背もたれ本体８を図示略)であり、図５は椅子用クッション１を装着し終えた状態を表す椅子の斜視図である。本例は、従来の椅子用クッションの装着が難しい背もたれ２及び肘掛け３を有する椅子４に、本発明の椅子用クッション１を装着する例であり、こうした背もたれ２及び肘掛け３を有する椅子４に対して十分な装着安定性が得られれば、他の椅子に対しても高い装着安定性を発揮できることが理解できる。
【００１４】
本例の椅子用クッション１は、図１及び図２に見られるように、上層に低反発ウレタンからなるクッション板９、下層にウレタンチップを固めた保形板10を積層、一体化した一定厚の板状クッション構造材11を、布製の表カバー12及び裏カバー13により包み込んだ平面視略正方形のクッション本体14からなる。このクッション本体14は、上層のクッション板９により着座する使用者の臀部に倣った形状に変化し、良好な座り心地を実現しながら、下層に保形板10を配しているため、全体形状の保形性に優れ、形崩れによる装着安定性の低下を防止できる。また、本例の裏カバー13は、多数のゴム製凸部の滑り止め15として設けており、クッション本体14自身のずれを防止して、椅子用クッション１としての装着安定性を高めている。このほか、クッション本体の構造としては、上層に綿からなるクッション板、下層にウレタンからなる保形板を積層、一体化した構成や、ウレタンやその他天然素材(例えば天然ヤシ等)の単一層からなる構成を例示できる。また、クッション本体内、例えば本例のクッション板又は保形板に、トルマリン又は備長炭を混入させてもよく、低反発ウレタンに代えて安価な通常ウレタンを用いてもよい。
【００１５】
フラップ16は、表カバー12の周縁に縫着した布製の鋸歯状片で、クッション本体14の各辺毎に左右対称の関係で頂上部17,17を２つずつ突出し、各頂上部17にそれぞれ布製の紐18を取り付けている。これにより、各フラップ16の頂上部17が各辺毎に線対称な関係にあるほか、クッション本体14の中心に対して点対称な関係にあることで、本例の椅子用クッション１を椅子４の座部５に装着する際、向きを気にすることなく装着できる。すなわち、各図では、説明の便宜上、クッション本体14のいずれかの辺を背もたれと平行にすればよい。
【００１６】
これから、例えば本例の椅子用クッション１を背もたれ２及び肘掛け３を有する椅子４に装着する場合、図３に見られるように、ある辺を背もたれ２と平行にして、クッション本体14を座部５に載せ、図４に見られるように、各辺のフラップ16を座部５の裏面側に回して、対向関係にある紐18,18同士を結べばよい。本例の椅子用クッション１は、各辺宛に紐18,18が２本ずつあり、合計８本の紐18があるため、結ぶ紐18の組み合わせが複数考えられるが、どの紐18同士を結ぶかは自由である。例えば、図４に図示した構成のほか、隣り合う辺の紐同士を結んでもよいし、複数の紐を束ねて結んでもよい。椅子の仕様(背もたれ用支持腕や肘掛け用支持腕の構造等)によって結びやすい紐が異なるため、結ぶ紐を自由に選択できることから、紐は複数設ける構成が好ましい。
【００１７】
このとき、本例の椅子用クッション１は、各フラップ16の頂上部17に挟まれた谷部19で、キャスタ20を備えた支持脚６を座部５と結ぶ支柱21、背もたれ２を支持する背もたれ用支持腕22や肘掛け３を支持する肘掛け用支持腕24の干渉を避けることができる。このため、座部５の周面に各フラップ16を密着させて、しっかりと紐18,18同士を結ぶことができ、図５に見られるように、クッション本体14を座部５に一体化するように装着、固定して、高い装着安定性を確保できる。ここで、前記谷部19を円弧状に形成すると、この谷部19を挟む一対の頂上部17,17を各紐18,18で引っ張る際に、前記引っ張り相互が相殺されず、確実にフラップ16の底辺全域へ伝達される。また、各フラップ16の底辺から谷部19までの距離が座部５の厚み以上であれば、谷部19は座部５の裏面へ折り返されて外観上見えなくなるので、椅子用クッション１を装着した椅子４の見栄えがよくなる。このように、フラップ16は、紐18によりクッション本体14の各辺毎に広く引っ張るほか、座部５を包む込むことで、総じてクッション本体14と座部５との一体性を高める役割を有する。このほか、本例の場合、クッション本体14の裏カバー13に滑り止め15が施されているため、前記装着安定性は更に高められている。
【図面の簡単な説明】
【００１８】
【図１】本発明の椅子用クッションの一例を表面側から見た部分断面斜視図である。
【図２】同椅子用クッションを裏面側から見た斜視図である。
【図３】背もたれ及び肘掛けを有する椅子に対する椅子用クッションの装着関係を表した斜視図である。
【図４】椅子用クッションを装着した状態を表した椅子の座部を裏面側から見た底面図である。
【図５】椅子用クッションを装着し終えた状態を表す椅子の斜視図である。
【符号の説明】
【００１９】
１  椅子用クッション
４  椅子
５  座部
14  クッション本体
16  フラップ
17  頂上部
18  紐
【図１】
2005118467.tif 000003
【図２】
2005118467.tif 000004
【図３】
2005118467.tif 000005
【図４】
2005118467.tif 000006
【図５】
2005118467.tif 000007